(57)【特許請求の範囲】
【請求項１】
第１の電極が形成された第１の基板、第２の電極が形成され前記第１の基板と対向する第２の基板、及び、前記第１及び第２の基板の間に挟まれプレチルト角が付与された液晶分子を含む液晶層を有する垂直配向型液晶セルと、
前記垂直配向型液晶セルを挟む一対の偏光板と、
前記第１及び第２の電極間にマルチプレックス駆動の駆動波形で電圧を印加する駆動装置と
を有し、
前記第１または第２の基板の表面に平行な表示面内で、前記第１及び第２の電極の少なくとも一方は、電圧無印加時における前記液晶層の厚さ方向中央の液晶分子のダイレクタの該表示面内成分に垂直な第１の縁と、該第１の縁に交差する方向に延在する第２の縁とが交互に連なったジグザグ状の縁を有し、
前記表示面は、前記第１の電極と前記第２の電極とが重なる部分で画定される表示パターンを有し、
１つの前記表示パターン内において、厚さ方向中央の液晶分子の前記ダイレクタは同一方向であり、
前記ジグザグ状の縁は、対向する電極が前記表示パターンとその外側領域とをまたぐような平坦面となっている位置に形成されている
液晶表示装置。
【請求項２】
観察者に示される表示パターンの縁のうち、電圧無印加時における前記液晶層の厚さ方向中央の液晶分子のダイレクタの前記表示面内成分に対して垂直でも平行でもない部分に、前記ジグザグ状の縁が配置されている請求項１に記載の液晶表示装置。
【請求項３】
前記第１の縁及び第２の縁の各々の長さは１００μｍ未満である請求項１または２に記載の液晶表示装置。
【請求項４】
前記一対の偏光板は、前記表示面内で、両偏光板の透過軸の相互になす角が８５°〜９５°の範囲となるようにクロスニコル配置されており、さらに、電圧無印加時における前記液晶層の厚さ方向中央の液晶分子のダイレクタの該表示面内成分が両偏光板の透過軸の各々となす角がどちらも４０°〜５０°の範囲となるように配置されている請求項１〜３のいずれか１項に記載の液晶表示装置。
【請求項５】
前記第２の縁は、電圧無印加時における前記液晶層の厚さ方向中央の液晶分子のダイレクタの前記表示面内成分に平行である請求項４に記載の液晶表示装置。
【請求項６】
前記液晶層にカイラル剤が添加されている請求項１〜５のいずれか１項に記載の液晶表示装置。
【請求項７】
前記駆動波形は、フレームごとに極性反転するフレーム反転駆動を行うＢ波形である請求項１〜６のいずれか１項に記載の液晶表示装置。
【発明の詳細な説明】
【技術分野】
【０００１】
本発明は、液晶表示装置に関し、特に、垂直配向型の液晶セルを有し、マルチプレックス駆動される液晶表示装置に関する。
【背景技術】
【０００２】
電圧無印加時の液晶分子配向を基板に対して垂直とする垂直配向型液晶セルは、クロスニコル配置の偏光板間に配置することにより、電圧無印加時において、非常に良好な黒表示を行う。さらに、液晶セルと上下偏光板との間の片方または両方に、適切なパラメータを持つ負の光学異方性を持つ光学補償板を導入することにより、非常に良好な視角特性を示す。垂直配向型液晶セルを用いた液晶表示装置は、例えば特許文献１に開示されている。
【０００３】
垂直配向型液晶セルとして、表示面内方向について配向状態が均一なモノドメイン配向のものや、表示面内に配向状態の異なる複数のドメインが配置されるマルチドメイン配向のものが提案されている。モノドメインの配向処理としては、ラビング処理や光配向処理等が提案され、マルチドメインの配向処理としては、画素電極内に設けた開口部により生じさせた斜め電界により配向を制御する方法等が提案されている。
【０００４】
特にモノドメイン垂直配向型液晶セルでは、電圧印加時の配向欠陥を抑制するため、電圧無印加時において液晶分子が基板法線方向からわずかに傾斜するように、プレチルト角が付与される。
【０００５】
垂直配向型液晶セルを用いた液晶表示装置の駆動方法として、アクティブマトリクス駆動法や単純マトリクス駆動法（マルチプレックス駆動法）を用いることができる。アクティブマトリクス駆動法では、薄膜トランジスタ（ＴＦＴ）等の能動素子が用いられる。
【０００６】
マルチプレックス駆動法では、一般に、最適バイアス法が用いられ、駆動波形として、フレーム内反転駆動（１ライン反転駆動）を行うＡ波形や、フレーム反転駆動を行うＢ波形や、Ｎライン反転駆動を行うＣ波形等が用いられている。現在、マルチプレックス駆動の液晶表示装置では、駆動時の消費電力を低く抑えられるＢ波形が広く用いられている。
【０００７】
【特許文献１】特開２００５−２３４２５４号公報
【発明の開示】
【発明が解決しようとする課題】
【０００８】
垂直配向型液晶セルをマルチプレックス駆動する時、液晶分子配向方向が所望の方向からずれる現象が生じることがわかった。本願発明者らは、この現象を動的配向不安定現象（ｄｙｎａｍｉｃ ｍｉｓｓ ａｌｉｇｎｍｅｎｔ）と呼んでいる（以下この現象をＤＭＡと呼ぶこととする）。ＤＭＡに起因して、表示パターン内に低透過率の領域が生じ、表示の均一性が損なわれる問題が生じる。
【０００９】
本発明の一目的は、垂直配向型液晶セルをマルチプレックス駆動する液晶表示装置であって、ＤＭＡの抑制が図られた液晶表示装置を提供することである。
【課題を解決するための手段】
【００１０】
本発明の一観点によれば、第１の電極が形成された第１の基板、第２の電極が形成され前記第１の基板と対向する第２の基板、及び、前記第１及び第２の基板の間に挟まれプレチルト角が付与された液晶分子を含む液晶層を有する垂直配向型液晶セルと、前記垂直配向型液晶セルを挟む一対の偏光板と、前記第１及び第２の電極間にマルチプレックス駆動の駆動波形で電圧を印加する駆動装置とを有し、前記第１または第２の基板の表面に平行な表示面内で、前記第１及び第２の電極の少なくとも一方は、電圧無印加時における前記液晶層の厚さ方向中央の液晶分子のダイレクタの該表示面内成分に垂直な第１の縁と、該第１の縁に交差する方向に延在する第２の縁とが交互に連なったジグザグ状の縁を有し、前記表示面は、前記第１の電極と前記第２の電極とが重なる部分で画定される表示パターンを有し、１つの前記表示パターン内において、厚さ方向中央の液晶分子の前記ダイレクタは同一方向であり、前記ジグザグ状の縁は、対向する電極が前記表示パターンとその外側領域とをまたぐような平坦面となっている位置に形成されている液晶表示装置が提供される。
【発明の効果】
【００１１】
第１の縁に生じた斜め電界により、ダイレクタの表示面内成分に平行な方向に液晶分子を倒れこませるように、液晶分子の配向状態を制御することができ、このような縁を設けない場合に比べて、ＤＭＡの抑制を図ることができる。ＤＭＡの抑制効果は、第１の縁から離れた領域にも及ぶ。
【発明を実施するための最良の形態】
【００１２】
まず、図１（Ａ）及び図１（Ｂ）を参照して、第１の実施例及び第１の比較例の液晶表示装置に共通な構成について説明する。図１（Ａ）は、第１の実施例または第１の比較例の液晶表示装置の概略断面図である。図１（Ｂ）は、上下垂直配向膜との界面の液晶分子のプレチルト角の付与された方位角方向、液晶層厚さ方向中央の液晶分子のダイレクタの方位角方向、及び上下偏光板の吸収軸方向を示す平面図である。
【００１３】
上側ガラス基板３と下側ガラス基板１３とが相互に平行に対向配置されている。上側ガラス基板３または下側ガラス基板１３の表面に平行な面を、表示面と定義する。上側から観察者が観察することとする。液晶表示装置を正面から見たとき、視線は表示面に垂直となる。
【００１４】
表示面内に方位角を定義する（図１（Ｂ）参照）。反時計回りに角度が増加するものとする。液晶表示装置を正面から見たとき、右方向を０°方向（３時方向）とし、左方向を１８０°方向（９時方向）とし、上方向を９０°方向（１２時方向）とし、下方向を２７０°方向（６時方向）とする。
【００１５】
なお、以下、向きも含めて方向を表す場合は、１つの方位角を用いて、例えば９０°方向等と表すこととする。向きを含めずに方向を表す場合は、相互に反対の２つの方位角を用いて、例えば９０°−１８０°方向等と表すこととする。
【００１６】
上側ガラス基板３の内面に、基板側から、所望の形状で形成されたコモン電極４、及び垂直配向膜６が形成されている。下側ガラス基板１３の内面に、基板側から、所望の形状で形成されたセグメント電極１４、及び垂直配向膜１６が形成されている。なお、必要に応じてセグメント電極を上側ガラス基板側に形成し、コモン電極を下側ガラス基板側に形成することもできる。垂直配向膜としては、ポリイミド膜や無機膜等を適当に選択することができる。
【００１７】
なお、基板間のショート防止のため、必要に応じ、コモン電極４と垂直配向膜６との間の絶縁膜５、及び、セグメント電極１４と垂直配向膜１６との間の絶縁膜１５の少なくとも一方を配置することができる。第１の実施例及び第１の比較例は、絶縁膜５及び１５を配置しない構成とした。
【００１８】
上側垂直配向膜６と下側垂直配向膜１６との間に、誘電率異方性Δεが負の液晶材料からなる液晶層７が挟まれている。第１の実施例及び第１の比較例は、誘電率異方性Δεが−２．２で屈折率異方性Δｎが０．２０の液晶材料を用い、また、液晶層７の厚さ（セル厚）を４．５μｍとした。液晶層７の厚さ断面内のリターデーションは９００ｎｍとなる。なお、液晶材料は誘電率異方性Δεが負であれば、屈折率異方性Δｎ等の物性値に特に制限はない。また、セル厚は４．５μｍに限らず、目的に応じて適当に定めることができる。
【００１９】
上下ガラス基板３及び１３、コモン電極４及びセグメント電極１４、上下垂直配向膜６及び１６、液晶層７、そして、必要に応じて絶縁膜５及び１５を含んで、液晶セル２０が構成される。駆動装置３０が、コモン電極４とセグメント電極１４との間に所定の駆動波形で電圧を印加して、マルチプレックス駆動（単純マトリクス駆動）を行う。
【００２０】
電圧無印加時における液晶層７中の液晶分子の配向方向が、表示面法線方向（垂直方向）から微小に傾斜するように、液晶分子にプレチルト角が付与されている。なお、プレチルト角は、表示面となす角で定義する。電圧印加により、液晶分子が、表示面法線方向から倒れ込む。
【００２１】
表示面内で、液晶分子の倒れ込む方向が、プレチルト角の付与された方位角方向に制御される。プレチルト角の大きさと付与される方位角方向とが、配向処理で定められる。配向処理として、例えば、ラビング、スリット配向、突起配向、紫外線光配向等を用いることができる。
【００２２】
第１の実施例及び第１の比較例では、配向処理として、上側垂直配向膜６及び下側垂直配向膜１６に、アンチパラレルのラビングを施した。ラビングにより、上側垂直配向膜６と液晶層７との界面の液晶分子には、方位角方向２１Ｕが２７０°方向となるようにプレチルト角θＵが付与され、下側垂直配向膜１６と液晶層７との界面の液晶分子には、方位角方向２１Ｌが上側のプレチルト角θＵの方位角方向２１Ｕと反対の９０°方向となるように、プレチルト角θＬが付与されている。プレチルト角θＵ及びθＬの大きさは、ともに８９．５°とした。表示面内方向について配向状態が均一なモノドメイン配向とした。
【００２３】
上下の垂直配向膜との界面で、液晶分子にこのようなアンチパラレルの配向処理を行うことにより、液晶層７の厚さ方向中央の液晶分子には、方位角９０°方向にプレチルト角が付与される。すなわち、電圧無印加時における液晶層７の厚さ方向中央の液晶分子のダイレクタの表示面内成分の方位角方向２２が、９０°方向に定められる。つまり、液晶層７の厚さ方向中央の液晶分子の電圧印加時に倒れ込む方位角方向が、９０°−２７０°方向に制御される。
【００２４】
上下垂直配向膜６、１６との界面近傍の液晶分子は、電圧印加時も動きにくく、電圧印加時の配向変化は、主に液晶層７の厚さ方向中央近傍の液晶分子に生じる。以下、電圧印加時の液晶分子の配向変化については、液晶層７の厚さ方向中央近傍の液晶分子に着目して説明する。なお、以下、電圧無印加時における液晶層の厚さ方向中央の液晶分子のダイレクタを、単にダイレクタと呼ぶこととする。
【００２５】
ガラス基板３及び１３の上下外側に、それぞれ、偏光板１及び１１が配置されている。上側偏光板１の吸収軸２３Ｕは４５°−２２５°方向に配置され、下側偏光板１１の吸収軸２３Ｌは１３５°−３１５°方向に配置されている。両偏光板の吸収軸２３Ｕ及び２３Ｌが相互になす角は（または、両偏光板の透過軸が相互になす角は）９０°であり、両偏光板は相互にクロスニコル配置されている。偏光板として、例えば、ポラテクノ製ＳＨＣ−１３Ｕ（染料系）を用いることができる。なお、偏光板材料は、ヨウ素系でも染料系でもよい。
【００２６】
液晶分子の方位角方向が偏光板の吸収軸（または透過軸）となす角を、０°以上９０°以下とした大きさで表すこととする。電圧印加時に液晶分子の倒れ込むよう定められた方位角方向（９０°−２７０°方向）は、上側偏光板１の吸収軸２３Ｕ（４５°−２２５°方向）と４５°（正負を区別するならば−４５°）をなし、下側偏光板１１の吸収軸２３Ｌ（１３５°−３１５°方向）とも４５°（正負を区別するならば＋４５°）をなす。すなわち、液晶分子の倒れ込むよう定められた方向は、上下偏光板１、１１の透過軸ともそれぞれ４５°をなす。
【００２７】
下側ガラス基板１３と下側偏光板１１との間に、液晶層７の厚さ断面内のリターデーションを補償する光学補償板として、３枚のＣプレートを積層した視角補償部材１２が挿入されている。各Ｃプレートについて、厚さ断面内のリターデーションΔｔｈが２２０ｎｍであり、面内リターデーションΔＲが０ｎｍである。視角補償部材１２の厚さ断面内のリターデーションは、６６０ｎｍとなる。
【００２８】
なお、視角補償部材は、Ｃプレートに限定されず、必要に応じて、Ａプレートや２軸位相差板を用いることもできる。なお、視角補償部材は、必要に応じて、液晶セルと上下偏光板との間の一方のみ、または両方に配置することができる。  
【００２９】
液晶セル２０と、それを挟む上下偏光板１及び１１と、駆動装置３０と、必要に応じて視角補償部材１２とを含んで、液晶表示装置が構成される。なお、バックライトや反射部材が必要な場合は、下側偏光板１１の下方に配置される。
【００３０】
次に、垂直配向型液晶表示装置の表示原理について説明する。電圧無印加時は、液晶分子がほぼ垂直に配向しているので、液晶層７は、表示面内について屈折率異方性を有さない。上下偏光板１及び１１がクロスニコル配置されているので、下側偏光板１１を透過した偏光成分は上側偏光板１を透過できず、電圧無印加時は、黒表示が得られる。
【００３１】
電圧印加時は、上下両側の電極に挟まれた電圧印加領域で、液晶分子が垂直方向から倒れこみ、表示面内での屈折率異方性が生じる。下側偏光板１１の透過軸と、液晶分子が倒れこんだ方位角方向とが、表示面内で相互に平行でもなく直交してもいないとき、下側偏光板１１を透過した偏光成分が、液晶分子の長さ方向に対する平行成分及び直交成分の両方を含む。これにより、液晶層７の透過時に平行成分と直交成分との間に位相差が生じ、上側偏光板１を透過する偏光成分を生成することができる。すなわち、白表示を得ることができる。
【００３２】
特に、液晶分子の倒れこんだ方位角方向が、クロスニコル配置の上下偏光板の透過軸とそれぞれなす角４５°であるとき、最大の透過率を得ることができる。また、液晶分子の倒れこむ方位角方向を上下方向の９０°−２７０°方向にすることにより、左右の視角特性がほぼ同等な広視野角の表示が得られる。
【００３３】
ただし、下側偏光板１１の透過軸と、液晶分子が倒れこんだ方位角方向とが、表示面内で相互に平行であるか、または直交しているときは、このような位相差が生じないので、上側偏光板１を透過する偏光成分が生成されない。つまり、電圧印加で液晶分子が倒れこんでも、白表示が得られず、黒表示のままとなる。
【００３４】
次に、マルチプレックス駆動の駆動波形について説明する。液晶表示装置をマルチプレックス駆動するときの駆動波形として、一般に、Ａ波形、Ｂ波形、Ｃ波形等が用いられている。なお、マルチプレックス駆動法について、例えば文献「ＬＣＤの電気的駆動法」（杉山貴、小林駿介著、雑誌：ディスプレーアンドイメージング、１９９４、Ｖｏｌ．３、ｐｐ１１７−１３１、出版：サイエンス・コミュニケーションズ・インターナショナル）に解説されている。
【００３５】
図１３（Ａ）に示すように、Ａ波形は、１ライン選択中（１コモン電極選択中）に極性反転を行う「フレーム内反転駆動（１ライン反転駆動）」の駆動波形である。また、図１３（Ｂ）に示すように、Ｂ波形は、フレームごとに極性反転を行う「フレーム反転駆動」の駆動波形である。また、図１３（Ｃ）に示すように、Ｃ波形は、Ｂ波形をベースとして、高デューティ駆動時に発生する表示パターンに対するクロストークを低減するためＮラインごとに極性反転を行う「Ｎライン反転駆動」の駆動波形である。なお、現在、マルチプレックス駆動の液晶表示装置では、駆動時の消費電力が最も低くなるＢ波形が広く用いられている。
【００３６】
次に、第１の比較例の液晶表示装置についてさらに説明する。
【００３７】
図２は、第１の比較例の液晶セルのコモン電極４及びセグメント電極１４のパターンを示す平面図である。コモン電極４のパターンを左上りのハッチングで示し、セグメント電極１４のパターンを右上りのハッチングで示す。コモン電極４とセグメント電極１４とが重なり、クロスハッチングで示される領域が、電圧が印加でき黒白表示が切り替え可能な表示パターンとなる。この例の表示パターンは「Ｄ」という文字であり、まっすぐな縦線部と湾曲部とで構成されている。
【００３８】
第１の比較例の液晶表示装置を、室温において、駆動波形をＢ波形とし、１／６４デューティ、１／９バイアスとし、充分なコントラストが得られる電圧でマルチプレックス駆動した。駆動周波数を変化させて、表示状態を観察した。
【００３９】
図３は、左側から、駆動周波数７０Ｈｚ、８０Ｈｚ、及び９０Ｈｚでの表示状態を並べて示す顕微鏡写真である。駆動周波数７０Ｈｚ及び８０Ｈｚでは、白表示されるべき表示パターン内に、黒い影状領域が観察される。縦線部及び湾曲部の両方に、影状領域が観察される。駆動周波数が高くなるほど影状領域が減少する傾向が見られる。駆動周波数が９０Ｈｚに高まると、縦線部及び湾曲部の両方で、このような影状領域が消え、良好な白表示が行われている。
【００４０】
このように、垂直配向型液晶表示装置のマルチプレックス駆動の、特に、低い周波数での駆動時、表示パターンに影状領域が現れ、表示均一性が低下する問題が生じる。この原因は、マルチプレックス駆動時の液晶分子配向方向が、配向処理で定めた方向からずれ、低透過率の領域が生じるためであると考えられる。本願発明者らは、マルチプレックス駆動時に液晶分子配向方向が配向処理で定めた方向からずれる現象を、動的配向不安定現象（ｄｙｎａｍｉｃ ｍｉｓｓ ａｌｉｇｎｍｅｎｔ／ＤＭＡ）と呼んでいる。ＤＭＡに起因する影状領域は、液晶表示装置の正面からの観察時のみならず、視角を振ったときにも視認され、表示品位を損なうものである。
【００４１】
ＤＭＡに起因する影状領域が発生する場所は（ＤＭＡが発生する場所は）、さまざまであり、表示パターン内でどのように分布するか予測することは困難である。ただし、ダイレクタの方位角方向（第１の比較例では９０°−２７０°方向）に対し、表示パターンの縁の延在方向が４５°をなすような部分（図２の例で、湾曲部の囲みＡ４５で示す部分）の近傍や、延在方向が１３５°をなすような部分（図２の例で、湾曲部の囲みＡ１３５で示す部分）の近傍で、影状領域が顕著に視認されることがわかった。図３に示すように、例えば図２の囲みＡ４５で示す部分の近傍に、影状領域が発生している。
【００４２】
図２の囲みＡ４５やＡ１３５で示す領域において、セグメント電極１４は縁部が配置されているのに対し、コモン電極４は縁部ではなく平坦部が配置されている。このように、電極の縁部と平坦部とが対向している領域では、縁の延在方向に直交する表示面内成分を持つ斜め電界が生じやすい。囲みＡ４５で示す領域では、４５°−２２５°方向の成分Ｅ４５を持つ斜め電界が生じやすく、囲みＡ１３５で示す領域では、１３５°−３１５°方向の成分Ｅ１３５を持つ斜め電界が生じやすい。
【００４３】
液晶分子は、配向処理で定めた９０°−２７０°方向に倒れ込むことが理想的であるが、このような斜め電界の影響で、囲みＡ４５に示す縁近傍では、液晶分子が４５°−２２５°方向に倒れこみやすくなり、囲みＡ１３５に示す縁近傍では、液晶分子が１３５°−３１５°方向に倒れこみやすくなる。
【００４４】
液晶分子が４５°−２２５°方向または１３５°−３１５°方向に倒れれば、下側偏光板透過軸と、液晶分子の倒れこんだ方位角方向とが表示面内で平行または垂直という関係になる。従って上述のように、電圧印加で液晶分子が倒れこんでも、白表示が得られず、黒表示のままとなる。例えば図２の囲みＡ４５で示す領域近傍で、ＤＭＡに起因する影状領域が発生しやすい理由は、このようなものであると考えられる。
【００４５】
なお、図２の囲みＡ４５で示す領域では、表示パターンの輪郭を、セグメント電極１４の縁が画定している。一方、図２の囲みＡ４５で示す縁部と、湾曲部の幅方向に向かい合うセグメント電極１４の縁部（囲みＢ４５で示す）では、セグメント電極１４の縁とコモン電極４の縁とが一致し、表示パターンの輪郭を、両電極４、１４の縁の双方が画定している。囲みＢ４５で示す領域では、電極の縁の延在方向がほぼ１３５°−３１５°方向であるが、両電極の縁が一致しているので、斜め電界が生じにくい。
【００４６】
同様に、図２の囲みＡ１３５で示す縁部に対向する、囲みＢ１３５で示す表示パターンの縁部も、電極の縁の延在方向がほぼ４５°−２２５°方向であるが、両電極の縁が一致しているので、斜め電界は生じにくい。
【００４７】
なお、縦線部の上下の縁等では、コモン電極４は縁部が配置されているのに対し、セグメント電極１４は平坦部が配置され、表示パターンの輪郭を、コモン電極４の縁が画定している。
【００４８】
次に、第１の実施例の液晶表示装置についてさらに説明する。
【００４９】
図４は、第１の実施例の液晶セルのコモン電極４及びセグメント電極１４のパターンを示す平面図である。コモン電極４のパターンを左上りのハッチングで示し、セグメント電極１４のパターンを右上りのハッチングで示す。コモン電極４とセグメント電極１４とが重なり、クロスハッチングで示される領域が、第１の比較例と同様に、「Ｄ」の文字を示す表示パターンとなる。
【００５０】
上述のように、第１の比較例で、配向処理で定めたダイレクタの方位角方向（９０°−２７０°方向）に対し、延在方向が４５°をなし斜め電界が発生しやすい電極縁部（図２の囲みＡ４５で示す部分）の近傍や、延在方向が１３５°をなし斜め電界が発生しやすい電極縁部（図２の囲みＡ１３５で示す部分）の近傍で、ＤＭＡに起因する影状領域が発生しやすいことがわかった。
【００５１】
第１の実施例では、セグメント電極１４の、このような縁部近傍を、ダイレクタの表示面内成分に垂直な縁（垂直部分と呼ぶこととする）と平行な縁（平行部分と呼ぶこととする）とが交互に連なったジグザグ状にした。つまり、０°−１８０°方向に延在する縁と、９０°−２７０°方向に延在する縁とを交互に並べたジグザグ状の縁を構成した。これにより、ダイレクタの表示面内成分に対し４５°または１３５°をなし、かつ斜め電界が発生しやすい電極縁部がなくなる。ジグザグ状の縁の各垂直部分の長さは４０μｍ程度とし、各平行部分の長さも４０μｍ程度とした。
【００５２】
第１の比較例と同様に、第１の実施例の液晶表示装置を、室温において、駆動波形をＢ波形とし、１／６４デューティ、１／９バイアスとし、充分なコントラストが得られる電圧でマルチプレックス駆動した。駆動周波数を変化させて、表示状態を観察した。
【００５３】
図５は、左側から、駆動周波数７０Ｈｚ及び８０Ｈｚでの表示状態を並べて示す顕微鏡写真である。駆動周波数７０Ｈｚでは、縦線部及び湾曲部の両方に、ＤＭＡに起因する影状領域が観察される。しかし、駆動周波数が８０Ｈｚになると、縦線部及び湾曲部の両方で、このような影状領域が消え、良好な白表示が行われている。なお、８０Ｈｚ以上では影状領域が現れないことを確認した。影状領域が現れなくなる最低の駆動周波数以上で駆動させれば、良好な表示が得られる。
【００５４】
第１の実施例では、上述のようなジグザグ状電極縁部を採用したことにより、ＤＭＡに起因する影状領域が消える駆動周波数を低下させることができた。なお、ジグザグ状電極縁部により、低い駆動周波数でＤＭＡ自体が抑制されたと捉えることもできる。
【００５５】
ジグザグ状電極縁部の垂直部分で発生する斜め電界は、９０°−２７０°方向の表示面内成分を持つので、液晶分子を配向処理で定めた方向に倒すように働く。一方、平行部分で発生する斜め電界は、０°−１８０°方向の表示面内成分を持つので、液晶分子を配向処理で定めた方向と直交する方向に倒すように働くが、液晶分子の倒れこむ方向が、クロスニコル配置の上下偏光板の透過軸とそれぞれ４５°をなすので、大きな透過率が得られる。ジグザグ状電極縁部のこのような働きが、ＤＭＡに起因する影状領域が消える駆動周波数を低下させた一要因であると推測される。
【００５６】
ただし、低い駆動周波数で影状領域が発生しにくくなる効果は（つまり、ＤＭＡが発生しにくくなる効果は）、ジグザグ状の電極縁部の近傍にとどまらず、表示パターン全域に亘ることもわかった。第１の実施例では、ジグザグ状の縁を採用した湾曲部に加え縦線部でも、影状領域が消える駆動周波数を低下させることができた。
【００５７】
なお、第１の実施例では、ジグザグ状電極縁部の各垂直部分及び各平行部分の長さをそれぞれ２０μｍとした液晶表示装置も作製し、上述の４０μｍの場合と同様な効果があることを確認した。
【００５８】
ただし、ジグザグのサイズが小さすぎると、ジグザグパターンのエッチングの精度が低下し、ジグザグの角が丸みを帯びてしまう。また、ジグザグのサイズが大きすぎると、ジグザグが視認されて、本来の表示パターンからかけ離れてしまう。一般的に、液晶表示装置の表示欠陥は１００μｍ以上のサイズで視認される。ジグザグ状電極縁部の各垂直部分及び各平行部分の長さは、２０μｍ以上１００μｍ未満の範囲とすることが好ましい。
【００５９】
上述の例では、Ｄという文字の湾曲部にジグザグ状の縁を採用した。一般的な表示パターンへの適用を考えると、観察者に示される所望の表示パターン（微小なジグザグが均されて見えた表示パターン）において、ダイレクタの表示面内成分と垂直でも平行でもない延在方向の縁部分に、ジグザグ状の縁が採用されていることが有効となる。特に、ダイレクタの表示面内成分に対して４５°、１３５°、（２２５°、３１５°）の角度をなす縁部分をジグザグ状にすることが好ましい。
【００６０】
なお、ジグザグ状の縁の垂直部分がダイレクタの表示面内成分となす角は、９０°から、１０°程度までずれていても有効である。これを踏まえ、「ダイレクタの表示面内成分に垂直である」とは、ダイレクタの表示面内成分となす角が８０°〜１００°の範囲内であることと定義する。また、平行部分がダイレクタの表示面内成分となす角は、０°から、１０°程度までずれていても有効である。これを踏まえ、「ダイレクタの表示面内成分に平行である」とは、ダイレクタの表示面内成分となす角が−１０°〜１０°の範囲内であることと定義する。
【００６１】
なお、セグメント電極の縁にジグザグを導入する例を説明したが、電極パターンに応じて、コモン電極の縁にジグザグを導入する場合でも同様な効果が得られることを確認している。必要に応じて、セグメント電極のジグザグ状電極縁部とコモン電極のジグザグ状電極縁部とが混在する構成も可能である。
【００６２】
なお、上述のように、ジグザグ状電極縁部がＤＭＡに起因する影状領域の消える駆動周波数を低下させる効果は、表示パターンの広範囲に及ぶ。従って、配向処理で定めたダイレクタの方位角方向に対し延在方向が４５°または１３５°をなし斜め電界が発生しやすい電極縁部の少なくとも一部を、上述のようなジグザグ状の縁に変えれば、ジグザグ状縁部形成領域よりも広い範囲で影状領域の抑制効果が期待される。ジグザグ状の縁が、表示パターンの縁上に離散的に配置されていてもよい。
【００６３】
なお、ダイレクタの表示面内成分に垂直な縁と平行な縁とを交互に配置してジグザグ状の縁を構成する場合を説明したが、ダイレクタの表示面内成分に垂直な縁と、これに交差する方向に延在する縁とが交互に連なったジグザグ状の縁が構成されていれば、垂直な縁に生じた斜め電界により、ダイレクタの表示面内成分に平行な方向に液晶分子を倒れこませるように、液晶分子の配向状態を制御することができ、ＤＭＡの抑制が図られる。
【００６４】
なお、方位角方向に液晶分子が動きやすい場合は、斜め電界による影響が生じやすく、ＤＭＡ及びそれに起因する影状領域が、広い範囲に及びやすいのではないかと考えられる。液晶分子が方位角方向に動きやすい場合とは、例えば、プレチルト角が垂直に近く方位角方向のアンカリングが弱い（配向規制力が弱い）場合や、液晶層の粘度が低く応答性が良い場合等が挙げられる。応答性が良い場合としては、例えば、低粘度液晶材料を用いる場合や、セル厚が薄い場合、動作温度が高い場合等が挙げられる。なお、応答性が良いと、フレームレスポンス現象も出やすい。また、液晶層にカイラル剤が添加されている場合も、液晶分子が方位角方向に動きやすい。
【００６５】
例えば、粘度が、高粘度のもので５０ｍｍ／ｓ程度以下、低粘度のもので３０ｍｍ／ｓ以下（ともに室温）の場合であり、プレチルト角が、８５°以上の場合である。なお、プレチルト角は８９°以上が好ましい。
【００６６】
次に、図６（Ａ）及び図６（Ｂ）を参照して、第２の実施例及び第２の比較例の液晶表示装置に共通な構成について説明する。以下、第１の実施例及び第１の比較例との違いについて説明する。図６（Ａ）は、第２の実施例または第２の比較例の液晶表示装置の概略断面図である。図６（Ｂ）は、上下垂直配向膜との界面の液晶分子のプレチルト角の付与された方位角方向、ダイレクタの方位角方向、及び上下偏光板の吸収軸方向を示す平面図である。
【００６７】
第２の実施例及び第２の比較例では、上側垂直配向膜６及び下側垂直配向膜１６に、（向きも含めて）パラレルのラビングを施した。ラビングにより、上側垂直配向膜６と液晶層７との界面の液晶分子には、方位角方向２１Ｕａが９０°方向となるようにプレチルト角θＵａが付与され、下側垂直配向膜１６と液晶層７との界面の液晶分子には、方位角方向２１Ｌａが上側のプレチルト角θＵａの方位角方向２１Ｕａと同じく９０°方向となるように、プレチルト角θＬａが付与されている。プレチルト角θＵａ及びθＬａの大きさは、ともに８９．５°とした。表示面内方向について配向状態が均一なモノドメイン配向とした。
【００６８】
第２の実施例及び比較例では、第１の実施例及び比較例と同様に、誘電率異方性Δεが−２．２で屈折率異方性Δｎが０．２０の液晶を用いたが、さらにこれにカイラル剤を添加した材料で液晶層７ａを構成した。カイラル剤としてメルク社製の右巻きのカイラル剤Ｒ−８１１を、セル厚ｄ（４．５μｍ）とカイラルピッチｐとの関係ｄ／ｐが０．５となるように、液晶材料に対して１％添加した。ツイスト角が１８０°で右巻きのツイスト構造となる。
【００６９】
上下の垂直配向膜６、１６にパラレルのラビングを行い、さらに上述のように右巻きのカイラル剤を添加したことにより、液晶層７ａの厚さ方向中央の液晶分子には、方位角０°方向にプレチルト角が付与される。すなわち、ダイレクタの表示面内成分の方位角方向２２ａが、０°方向に定められる。つまり、液晶分子の電圧印加時に倒れ込む方位角方向が、０°−１８０°方向に制御される。なお、第２の実施例及び第２の比較例では、上下垂直配向膜のパラレルのラビングに加えて、カイラル剤添加まで含めた処理を、ダイレクタ方向を定める配向処理と捉えることができる。
【００７０】
第２の実施例及び第２の比較例では、電圧印加時に液晶分子の倒れこむ方位角方向が０°−１８０°方向となるが、第１の実施例及び第１の比較例と同様に、液晶分子の倒れこむ方位角方向が、上側偏光板１の透過軸（または吸収軸）と４５°をなし、下側偏光板１１の透過軸（または吸収軸）とも４５°をなすので、透過率の最大化が図られている。
【００７１】
次に、第２の比較例の液晶表示装置についてさらに説明する。第２の比較例は、第１の比較例と同様なパターンの、ジグザグの縁が形成されていないコモン電極４及びセグメント電極１４を有し、「Ｄ」の文字を表示する。
【００７２】
第２の比較例の液晶表示装置を、室温において、駆動波形をＢ波形とし、１／４デューティ、１／３バイアスでマルチプレックス駆動した。駆動周波数を変化させて、表示状態を観察した。
【００７３】
図７（Ａ）は、左側から、駆動周波数６０Ｈｚ、７０Ｈｚ、８０Ｈｚ、及び９０Ｈｚでの表示状態を並べて示す顕微鏡写真であり、図７（Ｂ）は、左側から、駆動周波数１００Ｈｚ、１１０Ｈｚ、１２０Ｈｚ、及び１３０Ｈｚでの表示状態を並べて示す顕微鏡写真であり、図７（Ｃ）は、左側から、駆動周波数１４０Ｈｚ、１５０Ｈｚ、１６０Ｈｚ、及び１７０Ｈｚでの表示状態を並べて示す顕微鏡写真であり、図７（Ｄ）は、左側から、駆動周波数１８０Ｈｚ、１９０Ｈｚ、２００Ｈｚ、及び２５０Ｈｚでの表示状態を並べて示す顕微鏡写真である。なおこれらの写真では、「Ｄ」字の左右が反転している。
【００７４】
カイラル剤を添加した第２の比較例でも、ＤＭＡに起因する影状領域が観察された。ただし、カイラル剤を添加しない第１の比較例（及び第１の実施例）とは影状領域の発生パターンが異なった。第２の比較例では、「Ｄ」字の表示パターンの湾曲部には影状領域が観察されたが、縦線部には影状領域が観察されなかった。上述のように、カイラル剤添加により影状領域が発生しやすくなるとは考えられるが、逆に影状領域の広がりは抑制される可能性が示唆される。
【００７５】
駆動周波数６０Ｈｚから１７０Ｈｚまでは、影状領域がはっきりと観察された。ただし、駆動周波数が高まるにつれて、影状領域は減少していく。駆動周波数１８０Ｈｚ以上では、影状領域はほぼ観察されなくなり、良好な白表示が得られた。
【００７６】
次に、第２の実施例の液晶表示装置についてさらに説明する。第２の実施例は、第１の実施例と同様なパターンのコモン電極４及びセグメント電極１４を有し、「Ｄ」の文字を表示する。つまり、セグメント電極１４にジグザグ状の縁が形成されている。
【００７７】
なお、第１の実施例では、ダイレクタの方位角方向が９０°−２７０°方向であり、これに垂直な縁（垂直部分）と平行な縁（平行部分）とでジグザグの縁を構成した。第２の実施例では、ダイレクタの方位角方向が０°−１８０°方向であるので、第１の実施例の垂直部分が、ダイレクタの方位角方向と平行な平行部分となり、第１の実施例の平行部分が、ダイレクタの方位角方向と垂直な垂直部分になるが、ダイレクタの方位角方向と垂直な縁及び平行な縁でジグザグな縁を構成するという点は、第１の実施例と同様である。
【００７８】
第２の比較例と同様に、第２の実施例の液晶表示装置を、室温において、駆動波形をＢ波形とし、１／４デューティ、１／３バイアスでマルチプレックス駆動した。駆動周波数を変化させて、表示状態を観察した。
【００７９】
図８（Ａ）は、左側から、駆動周波数６０Ｈｚ、７０Ｈｚ、８０Ｈｚ、及び９０Ｈｚでの表示状態を並べて示す顕微鏡写真であり、図８（Ｂ）は、左側から、駆動周波数１００Ｈｚ、１１０Ｈｚ、１２０Ｈｚ、及び１３０Ｈｚでの表示状態を並べて示す顕微鏡写真であり、図８（Ｃ）は、左側から、駆動周波数１４０Ｈｚ、１５０Ｈｚ、１６０Ｈｚ、及び１７０Ｈｚでの表示状態を並べて示す顕微鏡写真であり、図８（Ｄ）は、左側から、駆動周波数１８０Ｈｚ、１９０Ｈｚ、２００Ｈｚ、及び２５０Ｈｚでの表示状態を並べて示す顕微鏡写真である。なおこれらの写真では、「Ｄ」字の左右が反転している。
【００８０】
第２の実施例でも、第２の比較例と同様に、ＤＭＡに起因する影状領域が、「Ｄ」字の表示パターンの湾曲部にははっきりと観察されたが、縦線部にはほぼ観察されなかった。
【００８１】
駆動周波数６０Ｈｚから１１０Ｈｚまでは、影状領域がはっきりと観察された。第２の実施例でも、駆動周波数が高まるにつれ影状領域が減少していく傾向が見られた。駆動周波数１２０Ｈｚ以上では、影状領域はほぼ観察されなくなり、良好な白表示が得られた。このように、第１の実施例と同様に、カイラル剤を添加した第２の実施例でも、ジグザグ状電極縁部により、ＤＭＡに起因する影状領域が観察されなくなる駆動周波数を低下させることができた。
【００８２】
第２の実施例では、カイラル剤添加によりダイレクタの方位角方向が０°方向にされている。つまり液晶分子の倒れこむ方向が０°−１８０°方向に定められている。ジグザグ状電極縁部の、ダイレクタ方位角方向に対する垂直部分で発生する斜め電界は、０°−１８０°方向の成分を持つので、液晶分子を配向処理で定めた方向に倒すように働く。一方、ジグザグ状電極縁部の、ダイレクタ方位角方向に対する平行部分で発生する斜め電界は、９０°−２７０°方向の成分を持つので、液晶分子を配向処理で定めた方向と直交する方向に倒すように働くが、液晶分子の倒れこむ方向が、クロスニコル配置の上下偏光板の透過軸とそれぞれ４５°をなすので、大きな透過率が得られる。
【００８３】
第１の実施例と同様に、ジグザグ状電極縁部のこのような働きが、ＤＭＡに起因する影状領域が消える駆動周波数を低下させた一要因であると推測される。なお、左巻きのカイラル剤を用いダイレクタの方位角方向を１８０°方向としても、液晶分子の倒れこむ方向が０°−１８０°方向なので、同様な効果が得られると考えられる。
【００８４】
次に、第３の実施例及び第３の比較例について説明する。第３の実施例及び第３の比較例では、第１の実施例及び第１の比較例と同様に、カイラル剤を添加しない液晶材料を用い、アンチパラレル配向処理を行って、垂直配向型液晶表示装置を作製した。ただし、第３の実施例及び第３の比較例では、表示パターンをドットマトリクスパターンとした。
【００８５】
図９（Ａ）は、第３の比較例の液晶セルのコモン電極４及びセグメント電極１４のパターンを示す平面図である。コモン電極４のパターンを左上りのハッチングで示し、セグメント電極１４のパターンを右上りのハッチングで示す。
【００８６】
０°−１８０°方向に長い帯状の部分が９０°−２７０°方向に複数並んだコモン電極４と、９０°−２７０°方向に長い帯状の部分が０°−１８０°方向に複数並んだセグメント電極１４とが配置され、両電極が重なり、クロスハッチングで示される四角形のドット状領域（画素）が、表示パターンとなる。
【００８７】
図９（Ｂ）に示すように、第３の実施例及び第３の比較例では、上側偏光板１の吸収軸２３Ｕｂが上下方向の９０°−２７０°方向に配置され、下側偏光板１１の吸収軸２３Ｌｂが左右方向の０°−１８０°方向に配置されている。両偏光板の吸収軸２３Ｕｂ及び２３Ｌｂが相互になす角は９０°であり、両偏光板は相互にクロスニコル配置されている。
【００８８】
ダイレクタの表示面内成分の方位角方向２２ｂが４５°方向に定められ、電圧印加時に液晶分子の倒れ込む方位角方向が４５°−２２５°方向に制限される。第１の実施例及び第１の比較例と同様に、液晶分子の倒れこむ方位角方向が、上側偏光板１の吸収軸（または透過軸）と４５°をなし、下側偏光板１１の吸収軸（または透過軸）とも４５°をなすので、透過率の最大化が図られている。
【００８９】
上下偏光板の透過軸を上下方向及び左右方向とすることにより、上下方向及び左右方向からの観察時に、深い視角での黒表示が特に良好となる。
【００９０】
第３の比較例では、表示パターンの各ドットの９０°−２７０°方向の縁を、セグメント電極１４の縁が画定し、０°−１８０°方向の縁を、コモン電極４の縁が画定しており、これらの縁では斜め電界が生じやすい。そして、９０°−２７０°方向の縁及び０°−１８０°方向の縁の双方は、液晶分子の倒れ込む方位角方向と４５°または１３５°をなすので、これらの縁の近傍でＤＭＡに起因する影状領域が特に生じやすいと考えられる。
【００９１】
第３の比較例の液晶表示装置を、室温において、駆動波形をＢ波形とし、１／６４デューティ、１／９バイアスでマルチプレックス駆動した。駆動周波数を変化させて、表示状態を観察した。
【００９２】
図１０は、左側から、駆動周波数６０Ｈｚ、７０Ｈｚ、及び８０Ｈｚでの表示状態を並べて示す顕微鏡写真である。駆動周波数６０Ｈｚ及び７０Ｈｚで、影状領域が観察され、駆動周波数を８０Ｈｚに高めると、影状領域が消えた。
【００９３】
図１１は、第３の実施例の液晶セルのコモン電極４及びセグメント電極１４のパターンを示す平面図である。コモン電極４のパターンを左上りのハッチングで示し、セグメント電極１４のパターンを右上りのハッチングで示す。
【００９４】
第３の実施例では、第３の比較例のコモン電極４の縁及びセグメント電極１４の縁を、ダイレクタの表示面内成分と垂直な縁及び平行な縁が交互に連なったジグザグ状とした。つまり、４５°−２２５°方向に延在する縁と、１３５°−３１５°方向に延在する縁とを交互に連ねたジグザグ状の縁を構成した。
【００９５】
第３の実施例の液晶表示装置を、室温において、駆動波形をＢ波形とし、１／６４デューティ、１／９バイアスでマルチプレックス駆動した。駆動周波数を変化させて、表示状態を観察した。
【００９６】
図１２は、左側から、駆動周波数６０Ｈｚ、７０Ｈｚ、及び８０Ｈｚでの表示状態を並べて示す顕微鏡写真である。駆動周波数６０Ｈｚで、影状領域が観察されたが、駆動周波数を７０Ｈｚ以上とすると、影状領域が消えた。このように、表示パターンをドットマトリクスとした第３の実施例でも、ジグザグ状電極縁部の採用により、ＤＭＡに起因する影状領域が観察されなくなる駆動周波数を低下させることができた。
【００９７】
なお、第３の実施例において、各ドット（画素）内を、配向方向の異なる複数領域に分割するマルチドメイン配向処理を行うこともできる。各分割領域内はモノドメインとする。
【００９８】
例えばドット内が左右に第１と第２の領域に分割されており、第１の領域内はダイレクタ方位角方向を４５°−２２５°方向に定め、第２の領域内はダイレクタ方位角方向をそれと直交する１３５°−３１５°方向に定める。ダイレクタ方位角方向を１３５°−３１５°方向としても、第３の実施例のジグザグ状電極縁部は、ダイレクタ方位角方向に対し垂直部分と平行部分とで構成され、影状領域抑制効果が得られる。
【００９９】
なお、上述のように、ＤＭＡ及びそれに起因する影状領域は、マルチプレックス駆動の駆動周波数が低いほど発生しやすく、高いほど発生しにくくなる。マルチプレックス駆動波形のうち、フレームごとに極性反転を行うＢ波形に比べて、１ライン選択中に極性反転を行うＡ波形や、Ｎラインごとに極性反転を行うＣ波形の方が高い周波数成分を有する。従って、同一の駆動周波数のとき、Ａ波形やＣ波形に比べると、Ｂ波形でＤＭＡ及びそれに起因する影状領域が発生しやすい。
【０１００】
なお、Ｂ波形に比べて高い周波数成分を有するＡ波形やＣ波形等での駆動により、ＤＭＡに起因する影状領域の抑制を図ることも可能である（特願２００７−１２５５９６参照）。ただし、高い周波数成分を有するＡ波形やＣ波形での駆動は、Ｂ波形に比べると高い消費電力を要する。消費電力の観点からは、Ｂ波形での駆動が好ましい。
【０１０１】
上述の実施例のように、Ｂ波形で駆動する場合でも、電極縁部をジグザグ状とすることにより、ＤＭＡ及びそれに起因する影状領域の抑制が図られる。電極縁部をジグザグ状にする実施例の技術は、特にＢ波形での駆動時に適用することが有効である。なお、Ａ波形やＣ波形等での駆動にジグザグ状電極縁部を採用しても、ＤＭＡ及びそれに起因する影状領域の抑制効果が期待される。
【０１０２】
なお、上述のように、動作温度が上昇するほど、ＤＭＡに起因する影状領域が発生しやすくなる。電極縁部をジグザグ状とする実施例の技術は、影状領域の発生を抑制するので、電極縁部をジグザグ状としない従来技術に比べて、同一駆動周波数での駆動時に、影状領域が発生する温度を高くする効果が期待される。すなわち、同一の駆動条件で、従来よりも高い温度まで、ＤＭＡに起因する影状領域の発生を抑えた駆動が可能になる。
【０１０３】
なお、上述の実施例では、上下偏光板の吸収軸同士（または透過軸同士）の表示面内でなす角を９０°としたが、両偏光板の吸収軸（または透過軸）が相互になす角は、９０°から５°程度までずれていてもよい。両偏光板の吸収軸（または透過軸）が相互になす角が８５°〜９５°の範囲である場合を、クロスニコル配置と呼ぶこととする。
【０１０４】
また、液晶分子が倒れこむように定められた方位角方向（ダイレクタの表示面内成分の方位角方向）が、クロスニコル配置の上下偏光板の透過軸（または吸収軸）の各々となす角の双方は、４５°から５°程度までずれていてもよく、４０°〜５０°の範囲であれば、充分に大きい透過率を得ることができる。
【０１０５】
実施例の技術は、マルチプレックス駆動される垂直配向型液晶表示装置全般に応用可能である。例えば、セグメント表示の液晶表示装置、ドットマトリクス表示の液晶表示装置、セグメント表示とドットマトリクス表示とが混在する液晶表示装置に利用することができる。また、透過型、反射型、及び透反型のいずれの液晶表示装置に応用することも可能である。
【０１０６】
以上実施例に沿って本発明を説明したが、本発明はこれらに制限されるものではない。例えば、種々の変更、改良、組み合わせ等が可能なことは当業者に自明であろう。
【図面の簡単な説明】
【０１０７】
【図１】図１（Ａ）は、第１の実施例または第１の比較例の液晶表示装置の概略断面図であり、図１（Ｂ）は、第１の実施例または第１の比較例の、上下垂直配向膜との界面の液晶分子のプレチルト角の付与された方位角方向、液晶層厚さ方向中央の液晶分子のダイレクタの方位角方向、及び上下偏光板の吸収軸方向を示す平面図である。
【図２】図２は、第１の比較例の液晶セルのコモン電極及びセグメント電極のパターンを示す平面図である。
【図３】図３は、第１の比較例の液晶表示装置のマルチプレックス駆動時の、各駆動周波数での表示状態を並べて示す顕微鏡写真である。
【図４】図４は、第１の実施例の液晶セルのコモン電極及びセグメント電極のパターンを示す平面図である。
【図５】図５は、第１の実施例の液晶表示装置のマルチプレックス駆動時の、各駆動周波数での表示状態を並べて示す顕微鏡写真である。
【図６】図６（Ａ）は、第２の実施例または第２の比較例の液晶表示装置の概略断面図であり、図６（Ｂ）は、第２の実施例または第２の比較例の、上下垂直配向膜との界面の液晶分子のプレチルト角の付与された方位角方向、ダイレクタの方位角方向、及び上下偏光板の吸収軸方向を示す平面図である。
【図７】図７は、第２の比較例の液晶表示装置のマルチプレックス駆動時の、各駆動周波数での表示状態を並べて示す顕微鏡写真である。
【図８】図８は、第２の実施例の液晶表示装置のマルチプレックス駆動時の、各駆動周波数での表示状態を並べて示す顕微鏡写真である。
【図９】図９（Ａ）は、第３の比較例の液晶セルのコモン電極及びセグメント電極のパターンを示す平面図であり、図９（Ｂ）は、第３の実施例及び第３の比較例の、ダイレクタの方位角方向、及び上下偏光板の吸収軸方向を示す平面図である。
【図１０】図１０は、第３の比較例の液晶表示装置のマルチプレックス駆動時の、各駆動周波数での表示状態を並べて示す顕微鏡写真である。
【図１１】図１１は、第３の実施例の液晶セルのコモン電極及びセグメント電極のパターンを示す平面図である。
【図１２】図１２は、第３の実施例の液晶表示装置のマルチプレックス駆動時の、各駆動周波数での表示状態を並べて示す顕微鏡写真である。
【図１３】図１３（Ａ）〜図１３（Ｃ）は、それぞれ、マルチプレックス駆動のＡ波形、Ｂ波形、及びＣ波形を示すグラフである。
【符号の説明】
【０１０８】
１、１１  偏光板
３、１３  ガラス基板
４  コモン電極
１４  セグメント電極
５、１５  絶縁膜
６、１６  垂直配向膜  
７  液晶層
１２  視角補償部材
θＵ、θＬ  プレチルト角
２０  液晶セル
３０  駆動装置
【図１】
0005210677.tif 000002
【図２】
0005210677.tif 000003
【図４】
0005210677.tif 000004
【図６】
0005210677.tif 000005
【図９】
0005210677.tif 000006
【図１１】
0005210677.tif 000007
【図１３】
0005210677.tif 000008
【図３】
0005210677.tif 000009
【図５】
0005210677.tif 000010
【図７】
0005210677.tif 000011
【図８】
0005210677.tif 000012
【図１０】
0005210677.tif 000013
【図１２】
0005210677.tif 000014